(57)【要約】【課題】簡易な構成で、装置の外装部に取り付けやすく、マニュアルの冊子の取り出し時に偏った方向に外力を受けた場合でも、外れにくいマニュアルホルダーを提供する。【解決手段】装置本体の外装面に取り付けられるマニュアルホルダー１００であって、当該外装面に対向する前面部１０１、一対の側面部１０３、１０４および底面部１０２からなる４面構造を有し、前記前面部１０１には、その下方の両隅に第１の切り欠き部１０８、１０９が形成されていると共に、前面部１０１の横幅方向中央部には、上端から下方に向けて第２の切り欠き部１１０が設けられている。【選択図】図１
2018039231.tif 000002
【特許請求の範囲】
【請求項１】
装置本体の外装面に取り付けられるマニュアルホルダーであって、
当該外装面に対向する前面部、一対の側面部および底面部からなる４面構造を有し、
前記前面部には、その下方の両隅に第１の切り欠き部が形成されていると共に、前面部の横幅方向中央部には、上端から下方に向けて第２の切り欠き部が設けられている
ことを特徴とするマニュアルホルダー。
【請求項２】
前記前面部、側面部および底面部は、可撓性を有する材料で形成されている
ことを特徴とする請求項１に記載のマニュアルホルダー。
【請求項３】
前記底面部の前記前面部横幅方向における中央部と、前記一対の側面部の各上部の計３箇所において、外装面側に設けられた被係止部と係合する係止部が設けられている
ことを特徴とする請求項１または２に記載のマニュアルホルダー。
【請求項４】
前記底面部および一対の側面部の、前記第１の切り欠き部に対応する部分が切除されている
ことを特徴とする請求項１から３までのいずれかに記載のマニュアルホルダー。
【請求項５】
前記第２の切り欠き部が設けられている部位における、底面部の奥行に対する前面部の高さの比は３以下である
ことを特徴とする請求項１から４までのいずれかに記載のマニュアルホルダー。
【請求項６】
前記第２の切り欠き部が設けられている部位における、底面部の奥行に対する前面部の高さの比は２以下である
ことを特徴とする請求項５に記載のマニュアルホルダー。
【請求項７】
前記前面部の横幅に対する第２の切り欠き部の横幅の比は、１／６以上である
ことを特徴とする請求項５または６に記載のマニュアルホルダー。
【請求項８】
前記前面部の横幅に対する第２の切り欠き部の横幅の比は、１／３以上である
ことを特徴とする請求項７に記載のマニュアルホルダー。
【請求項９】
前記底面部に設けられた係止部の前記前面部横幅方向における幅は、前記第２の切り欠き部の横幅の１／２以下である
ことを特徴とする請求項３から８までのいずれかに記載のマニュアルホルダー。
【請求項１０】
請求項１から９までのいずれかに記載のマニュアルホルダーを備えたことを特徴とする画像形成装置。
【発明の詳細な説明】
【技術分野】
【０００１】
本発明は、装置のマニュアルなどを収納するためのマニュアルホルダーおよび当該マニュアルホルダーを具備した画像形成装置に関する。
【背景技術】
【０００２】
通常、画像形成装置などの装置には、当該装置の使用方法を説明したマニュアルの冊子や、端末のＰＣにインストールされるべきプリンタードライバーを記録したＣＤなどを収納するためのマニュアルホルダーが備え付けられている。
図１２は、画像形成装置として複写機１の左側面下部の外装部１１に、従来型のマニュアルホルダー２００が取り付けられている状態を示す斜視図であり、図１３は、当該マニュアルホルダー２００を複写機１の外装部１１から取り外したときの形状を示す斜視図である。
【０００３】
図１３に示すように従来のマニュアルホルダー２００は、複写機１に取り付けられたときにその外装面に対向する前面部２０１と、底面部２０２と、一対の側面部２０３、２０４の４面構造からなり、側面部２０３、２０４の上部、および底面部２０２の前面部２０１の横幅方向（Ｘ方向）中央部には、フック状の係止部２０５、２０６、２０７が設けられ、それぞれ複写機１の外装部１１に設けられた被係止部である長穴（不図示）に挿入されて、マニュアルホルダー２００が、複写機１の本体に装着される。
【先行技術文献】
【特許文献】
【０００４】
【特許文献１】特開２００７−１４７７０９号公報
【特許文献２】特開２００４−６１９５７号公報
【発明の概要】
【発明が解決しようとする課題】
【０００５】
マニュアルホルダー２００は、複写機１の前面に配されるとユーザーの操作の邪魔になると共にデザイン的にも好ましくないので、通常は、複写機１の裏面もしくは側面の外装部に装着されることが多い。
そうするとユーザーによっては、マニュアルの冊子を取り出す時に偏った方向から取り出す場合があり、その際にマニュアルの冊子との摩擦によりマニュアルホルダー２００も上方にずれて、その係止部、特に、上方の係止部２０５、２０６が複写機１の外装部１１に設けられた長穴から外れてしまう場合があった。
【０００６】
このような不測の事態を避けるため、マニュアルホルダー２００を複写機１本体の外装にネジ留めなどにより強く固定することも考えられるが、そうするとマニュアルホルダー２００の取り付けに手間が掛かる上、固定が強固過ぎて、足を引っかけたりしてマニュアルホルダー２００に大きな外力が加わると当該固定部位が破損してしまうおそれもある。
本発明の目的は、簡易な構成で、装置本体への取り付けが容易であることを維持しつつ、不自然にマニュアルをマニュアルホルダーから抜き出す場合に、マニュアルホルダーが、装置本体が容易に外れないようにすることを目的とする。
【課題を解決するための手段】
【０００７】
上記目的を達成するため、本発明に係るマニュアルホルダーは、装置本体の外装面に取り付けられるマニュアルホルダーであって、当該外装面に対向する前面部、一対の側面部および底面部からなる４面構造を有し、前記前面部には、その下方の両隅に第１の切り欠き部が形成されていると共に、前面部の横幅方向中央部には、上端から下方に向けて第２の切り欠き部が設けられていることを特徴とする。
【０００８】
ここで、前記前面部、側面部および底面部は、可撓性を有する材料で形成されていることが望ましい。
また、前記底面部の前記前面部横幅方向における中央部と、前記一対の側面部の各上部の計３箇所において、外装面側に設けられた被係止部と係合する係止部が設けられていることが望ましい。
【０００９】
前記底面部および一対の側面部の、前記第１の切り欠き部に対応する部分が切除されていることとしてもよい。
前記第２の切り欠き部が設けられている部位における、底面部の奥行に対する前面部の高さの比は３以下であることが望ましい。
前記第２の切り欠き部が設けられている部位における、底面部の奥行に対する前面部の高さの比は２以下であることがさらに望ましい。
【００１０】
前記前面部の横幅に対する第２の切り欠き部の横幅の比は、１／６以上であることが望ましい。
前記前面部の横幅に対する第２の切り欠き部の横幅の比は、１／３以上であることがさらに望ましい。
前記底面部に設けられた係止部の前記前面部横幅方向における幅は、前記第２の切り欠き部の横幅の１／２以下であることが望ましい。
【００１１】
また、本発明は、上記のマニュアルホルダーを備えた画像形成装置としてもよい。
【発明の効果】
【００１２】
上記構成によれば、マニュアルホルダーに、一方の側面部の係止部を装置の外装部から外すような方向の外力が加わっても、第２の切り欠き部における前面部と底面部の、断面がＬ字型となっている部分に捩れが生じて、他方の側面部の係止部を装置の外装部に向けて押し付けるように作用させることができるので、マニュアルホルダーが装置から外れにくくなる。
【図面の簡単な説明】
【００１３】
【図１】本実施の形態に係るマニュアルホルダーの斜視図である。
【図２】上記マニュアルホルダーの正面図である。
【図３】上記マニュアルホルダーの裏面を示す斜視図である。
【図４】上記マニュアルホルダーを複写機の外装部に装着したときの側面図である。
【図５】第１実施例に係るマニュアルホルダーの特定の箇所Ａに外力が加わったときの、マニュアルホルダーの変形の様子を示す斜視図である。
【図６】（ａ）は第１実施例のマニュアルホルダーの特定の箇所Ａに外力が加わったときの、マニュアルホルダーの変形の様子を示す側面図であり、（ｂ）は、一対の側面部の係止部の拡大図である。
【図７】第２実施例に係るマニュアルホルダーの特定の箇所Ａに外力が加わったときの、マニュアルホルダーの変形の様子を示す斜視図である。
【図８】（ａ）は第２実施例のマニュアルホルダーの特定の箇所Ａに外力が加わったときの、マニュアルホルダーの変形の様子を示す側面図であり、（ｂ）は、一対の側面部の係止部の拡大図である。
【図９】第３実施例に係るマニュアルホルダーの特定の箇所Ａに外力が加わったときの、マニュアルホルダーの変形の様子を示す斜視図である。
【図１０】（ａ）は第３実施例のマニュアルホルダーの特定の箇所Ａに外力が加わったときの、マニュアルホルダーの変形の様子を示す側面図であり、（ｂ）は、一対の側面部の係止部の拡大図である。
【図１１】変形例に係るマニュアルホルダーの形状を示す斜視図である。
【図１２】従来のマニュアルホルダーを取着した複写機の外観斜視図である。
【図１３】従来のマニュアルホルダーの斜視図である。
【発明を実施するための形態】
【００１４】
以下、本発明に係るマニュアルホルダーの実施の形態を、図面を参照しながら説明する。
図１は、本実施の形態に係るマニュアルホルダー１００を前側から見た時の斜視図であり、複写機等の画像形成装置（不図示）から取り外した状態で示されている。また、図２は、当該マニュアルホルダー１００の正面図を示している。
【００１５】
両図に示すように、マニュアルホルダー１００は、画像形成装置に取り付けられたときにその外装面に対向する前面部１０１と、底面部１０２と、一対の側面部１０３、１０４の４面構造からなり、側面部１０３、１０４の上部、および底面部１０２の前面部１０１の横幅方向の中央部の計３箇所に、フック状の係止部１０５、１０６、１０７が設けられており、それぞれ画像形成装置の外装部１１に設けられた長穴（図４参照）に挿入されて、マニュアルホルダー１００が装置本体に容易に装着されるようになっている。
【００１６】
前面部１０１の下部の両隅には、ほぼ矩形の切り欠き部１０８、１０９（第１の切り欠き部）が形成されており、この切り欠き部１０８、１０９に対応する部分において、側面部１０３、１０４、底面部１０２も切除されている。
また、前面部１０１の横幅方向中央部には上端から下方に向けてほぼ矩形の大きな切り欠き部１１０（第２の切り欠き部）が、形成されている。
【００１７】
これにより前面部１０１の縦方向に一対の細幅部１０１ａ、１０１ｂが形成されると共に、底面部１０２との間にも横方向に延びる細幅部１０１ｃが形成される。
前面部１０１の上部１１１は手前側に少し倒れていて、複写機１に装着したときに上方の開口部が広くなって、マニュアルの冊子（以下、単に「マニュアル」という。）の出し入れがしやすいようになっている（図４参照）。
【００１８】
図３は、マニュアルホルダー１００を裏面側から見たときの様子を示す斜視図である。
細幅部１０１ａ、１０１ｂの裏面には、縦方向にリブ１１８１、１１８２および１１８３、１１８４が形成され、強度が補強されている。
リブ１１８１〜１１８４の上端部は徐々に高さが低くなり、マニュアルの収納の際に、マニュアルの下端がリブ１１８１〜１１８４の上端部と干渉しないようになっている。
【００１９】
図４は、マニュアルホルダー１００を画像形成装置の外装部１１に装着したときの様子を示す側面図である。外装部１１は、係止部１０５と係合する係合穴１１ａ、および係止部１０７と係合する係合穴１１ｂにおける断面で示している。同図では、係止部１０５に隠れて見えないが、側面部１０４の係止部１０６においても、係止部１０５と同様に外装部１１の別の係止穴に係止されている。
【００２０】
なお、前面部１０１、底面部１０２、側面部１０３、１０４は、可撓性を有する樹脂、本実施の形態では、ＰＣ（ポリカーボネート）とＡＢＳ樹脂を混合した樹脂材料を用いており、当該樹脂材料を射出成型により一体成形してなる。
マニュアルホルダー１００を上記のような構成にすることにより、マニュアルの取り出し時にマニュアルホルダー１００の一部に外力が加わっても、係止部１０５、１０６の少なくとも一方が外れにくくなるように変形するようになっている。詳しくは後述する。
【００２１】
また、通常、マニュアルホルダー１００には、マニュアルのほか、プリンタードライバーなどを記録したＣＤが収納されるが、切り欠き部１０８、１０９および切り欠き部１１０の存在により、ＣＤの存在が分かりやすいという利点があるほか、マニュアルホルダー１００を作成するための樹脂の量も従来よりも少なくて済むので、コストダウンにも資するという副次的な効果も得られる。
【００２２】
＜第１実施例＞
図５は、第１実施例として、前面部１０１の横幅Ｗ１（図２参照）に対する切り欠き部１１０の横幅Ｗ２を１／３に設定し、切り欠き部１１０のある部位における前面部１０１の細幅部１０１ｃの高さＬ１（図３参照）と、底面部１０２の奥行Ｌ２との比を１に設定した場合において、Ａの部分に力Ｆ１（本実施例では５０Ｎ）を加えた場合の、マニュアルホルダー１００の変形の様子を示すものである。なお、Ｗ１は２３１ｍｍ、前面部１０１、底面部１０２、側面部１０３、１０４の各厚みは２ｍｍである。また、奥行Ｌ２は２２ｍｍに設定している。
【００２３】
このような力Ｆ１の掛かり方は、マニュアルホルダー１００が、図１２のマニュアルホルダー２００と同様に装置の左側の側面下方に取り付けられ、ユーザーがマニュアルを手前側に偏った位置から強引に抜き出そうとする場合に生じやすい。
図１３に示すような従来のマニュアルホルダー２００のように全体的に剛性の高い構造であれば、このような強引な状態でマニュアルを引き出そうとすれば、マニュアルとマニュアルホルダー２００の前面部２０１の裏面との摩擦により、マニュアルホルダー２００全体が上方に浮き上がって、係止部２０５、２０６が共に外装部１１の係止用の長穴から離脱してしまうおそれが非常に高かった。
【００２４】
しかし、本実施例によれば、切り欠き部１１０の分だけ前面部１０１の裏面とマニュアルの接触する面が小さくなって摩擦力が小さくなる上に、図５に示すように、マニュアルの強引な取り出し時に、Ａの部分に力Ｆ１が偏って加えられて、細幅部１０１ａが、手前側に倒れようとすると、細幅部１０１ｃと底面部１０２の断面がＬ字型の部分（以下、「Ｌ字形状部」という。）の、係止部１０７の付近（丸で囲んだ範囲Ｂの領域）において捩れ現象が生じ、図６（ａ）に示すように細幅部１０１ｂを外装側（図の左側）に向けて傾けようとする力Ｆ２が作用する（以下、この現象を「捩れ効果」という。）。
【００２５】
そうすると、図６（ｂ）の拡大図に示すように、マニュアルをマニュアルホルダー１００から引き出そうとする際に、係止部１０５が右方向に移動して外装部から離れようとしても、捩れ効果により係止部１０６が左方向（外装部側）に押し付けられるので、係止部１０６と外装部の係止穴との係合状態が維持されると共に、捩れの反作用として係止部１０５を外装部側に引き戻そうとする力も働き、マニュアルホルダー１００の外装部への装着状態が容易に解除されることはなくなる。同様に、細幅部１０１ｂ側の上部に力Ｆ１が加わっても、細幅部１０１ａの上部に反対側の力Ｆ２が作用するため、装着状態が解除されにくくなる。
【００２６】
＜第２実施例＞
図７は、第２実施例として、前面部１０１の横幅Ｗ１（図２参照）に対する切り欠き部１１０の横幅Ｗ２を１／６に設定し、切り欠き部１１０のある部位における前面部１０１の細幅部１０１ｃの高さＬ１（図３参照）と、底面部１０２の奥行Ｌ２との比を１に設定した場合において、Ａの部分に力Ｆ１を加えた場合の、マニュアルホルダー１００の変形の様子を示すものである。Ｗ１、Ｌ２の値および各部の厚みは、実施例１と同じである。
【００２７】
本実施例によっても、Ａの部分に力Ｆ１が加えられて、細幅部１０１ａが、手前側に倒れようとすると、細幅部１０１ｃと底面部１０２の断面がＬ字形状部において捩れ現象が生じ、図８（ａ）に示すように細幅部１０１ｂを外装部側（図の左側）に向けて傾けようとする力Ｆ２が働く。
但し、図８（ｂ）の拡大図に示すように、係止部１０５と係止部１０６との相対的な位置の差は、図６（ｂ）に示す第１実施例の場合よりも若干小さくなっている。これは切り欠き部１１０の横幅Ｗ２が小さくなった分、Ｌ字形状部の前面部１０１横幅方向の長さが第１実施例よりも短くなったため、捩れ効果が減少したことによるものと推測できる。
【００２８】
＜第３実施例＞
図９は、第３実施例として、前面部１０１の横幅Ｗ１（図２参照）に対する切り欠き部１１０の横幅Ｗ２を１／３に設定し、切り欠き部１１０のある部位における前面部１０１の細幅部１０１ｃの高さＬ１（図３参照）と、底面部１０２の奥行Ｌ２との比を２：１に設定した場合において、Ａの部分に力Ｆ１を加えた場合の、マニュアルホルダー１００の変形の様子を示すものである。Ｗ１、Ｌ２の値および各部の厚みは、実施例１と同じである。
【００２９】
本実施例によっても、Ａの部分に力Ｆ１が加えられて、細幅部１０１ａが、手前側に倒れようとすると、細幅部１０１ｃと底面部１０２の断面がＬ字形状部において捩れ現象が生じ、図１０（ａ）に示すように細幅部１０１ｂを外装側（図の左側）に向けて傾けようとする力Ｆ２が働く。
但し、図１０（ｂ）の拡大図に示すように、係止部１０５と係止部１０６との相対的な位置の差は、図６（ｂ）に示す第１実施例よりも若干小さくなっている。これは、細幅部１０１ｃの高さが高くなった分、Ｌ字形状部の剛性が増し、捩れやすさが減少したためであると考えられる。
【００３０】
＜第４実施例＞
特に、図示しないが、第４実施例として、前面部１０１の横幅Ｗ１（図２参照）に対する切り欠き部１１０の横幅Ｗ２を１／３に設定し、切り欠き部１１０のある部位における前面部１０１の細幅部１０１ｃの高さＬ１（図３参照）と、底面部１０２の奥行Ｌ２との比を３：１に設定した場合において、Ａの部分に力Ｆ１を加えてもマニュアルホルダー１００は外れにくかった。なお、Ｗ１、Ｌ２の値および各部の厚みは、実施例１と同じである。
【００３１】
＜実施例のまとめ＞
上記実施例により、マニュアルを偏った方向から引き出すときに、マニュアルホルダー１００が外れにくくするためには、前面部１０１の横幅Ｗ１と切り欠き部１１０の横幅Ｗ２の比が１／６以上あることが望ましく（第２実施例参照）、さらには、１／３以上であることが望ましい（第１実施例参照）ことが分かる。
【００３２】
もっとも、この比が大き過ぎると、細幅部１０１ａ、１０１ｂの幅が細くなってマニュアルホルダーとしての強度が十分保てないし、Ａ点に作用する力が、細幅部１０１ｃと底面部１０２のＬ字形状部に伝達できず十分な捩れ効果を発生させることができないおそれもある。これらの観点から、当業者であれば、全体の寸法、素材の強度、切り欠き部１０８、１０９の幅などを考慮して、Ｗ１に対するＷ２の比の上限を適宜設定することができる。
【００３３】
また、切り欠き部１１０における前面部１０１の細幅部１０１ｃの高さＬ１（図３参照）の、底面部１０２の奥行Ｌ２対する比が、大きければ大きいほどＬ字構造部での剛性が強くなって捩れ効果が発生しにくくなるので、第２の切り欠き部が設けられている部位における、底面部１０２の奥行に対する前面部の細幅部１０１ｃの高さの比は３以下であることが望ましく（第４実施例参照）、さらには２以下であることがより望ましい（第３実施例）。
【００３４】
なお、本発明は、前面部１０１の細幅部１０１ｃと底面部１０２の断面がＬ字構造となっている部分の捩れ効果を利用するものであるから、次のような場合には、効果がほとんど得られない。
（ａ）細幅部１０１ｃの高さＬ１（図３参照）が「０」であって、底面部１０２とのＬ字形状部が形成されない場合。
【００３５】
したがって、細幅部１０１ｃの高さＬ１（図３参照）として捩れ効果を発揮するための最小限の高さは必要である。
（ｂ）切り欠き部１１０の横幅Ｗ２に対する、係止部１０７の横幅Ｗ３（図３参照）の比が極めて大きい場合。
外装部に係止される係止部１０７の横幅Ｗ３が大きいと、細幅部１０１ｃと底面部１０２で形成するＬ字形状部における捩れの発生が阻害されてしまうからである。本願発明者の検証によると、係止部１０７の横幅Ｗ３は、切り欠き部１１０の横幅Ｗ２の２分の１以下であることが望ましい。なお、係止部１０７の横幅Ｗ３の最小値は、使用する素材の強度、収納するマニュアルの重さなどにより、当業者であれば適宜決定できるものである。
【００３６】
＜変形例＞
以上、本発明を実施の形態に基づいて説明してきたが、本発明が上述の実施の形態に限定されないのは勿論であり、以下のような変形例が考えられる。
（１）上記実施の形態では、前面部１０１の切り欠き部１０８、１０９に合わせて、当該切り欠き部１０８、１０９に対応する側面部１０３、１０４、底面部１０２も切除するようにしたが、図１１に示すように前面部１０１の下部の両隅のみを切り欠いて、側面部１０３、１０４と底面部１０２を連結したまま残存させても、上述の捩れ効果を得ることは可能である。
【００３７】
（２）上記実施の形態では、側面部１０３、１０４の各上端部と、底面部１０２の長手方向中央部の計３個所に係止部１０５〜１０７を設けているので、それらによって一つの平面が特定され、複写機の外装部１１に密着させて取り付けやすい。
もっとも、３個所以上の係止部を設けることを妨げるものではない。
（３）上記実施の形態では、マニュアルホルダー１００の方に、フック状の係止部１０５〜１０７を設けたが、外装部１１の方に上向きのフック状の被係止部を設けて、マニュアルホルダー１００の方に、これらの被係止部に係合する長穴を有する部材を係止部として設けてもよい。また、フック状の係止構造以外でも、マニュアルホルダー１００を装置に容易に係止して装着できる構造であればどのようなものでも採用可能である。
【００３８】
（４）本発明は、画像形成装置だけでなく、あらゆる装置に取り付けるマニュアルホルダーであってもよい。また、本発明は、当該マニュアルホルダーを備えた画像形成装置として捉えることもできる。この画像形成装置は電子写真方式やインクジェット方式など、どのような方式の画像形成装置であってもよい。
（５）また、上記実施の形態及び変形例の内容を可能な限り組み合わせても構わない。
【産業上の利用可能性】
【００３９】
本発明は、画像形成装置などの装置に取り付けるマニュアルホルダーとして好適である。
【符号の説明】
【００４０】
１１    外装部
１１ａ、１１ｂ  係合穴（被係止部）
１００、２００    マニュアルホルダー
１０１    前面部
１０１ａ〜１０１ｃ  細幅部
１０２    底面部
１０３、１０４    側面部
１０５〜１０７    係止部
１０８、１０９    切り欠き部（第１切り欠き部）
１１０        切り欠き部（第２切り欠き部）
１１８１〜１１８４    リブ
【図１】
2018039231.tif 000003
【図２】
2018039231.tif 000004
【図３】
2018039231.tif 000005
【図４】
2018039231.tif 000006
【図５】
2018039231.tif 000007
【図６】
2018039231.tif 000008
【図７】
2018039231.tif 000009
【図８】
2018039231.tif 000010
【図９】
2018039231.tif 000011
【図１０】
2018039231.tif 000012
【図１１】
2018039231.tif 000013
【図１２】
2018039231.tif 000014
【図１３】
2018039231.tif 000015